(57)【要約】【課題】電流駆動型自発光素子に供給する電流を制御する駆動トランジスタの閾値電圧シフトの補償精度を向上し、良好な表示性能を長期間に渡って維持する。【解決手段】ドレインが発光素子１１に接続され、ソースが電源供給線ＮＬに接続された駆動トランジスタＤｒと、一端が駆動トランジスタＤｒのゲートに接続されたキャパシタＣｋと、駆動トランジスタＤｒのドレインと、キャパシタＣｋの他端との間に接続された閾値電圧検出トランジスタＤｅｔと、駆動トランジスタＤｒのソース−ゲート間に接続されたリセットトランジスタＲｓｔと、を備え、リセットトランジスタＲｓｔを介して駆動トランジスタＤｒのゲートを所定値まで充電し、キャパシタＣｋの他端の電荷を閾値電圧検出トランジスタＤｅｔを介して放電することで、キャパシタＣｋの両端の電位差を駆動トランジスタＤｒの閾値電圧にする。【選択図】図２
2010078922.tif 000002
【特許請求の範囲】
【請求項１】
複数の信号線と
それぞれ走査線、リセット制御線、閾値電圧検出制御線、及び第１の電源供給線を有する複数の制御線と、
それぞれ前記複数の信号線のいずれか１つ及び前記複数の制御線のいずれか１つが接続された画素回路、及び第２の電源供給線が接続され、供給される電流に応じて発光する発光素子を有し、マトリクス状に複数設けられた画素部と、
を備え、
前記画素回路は、
ソース・ドレインの一方が前記発光素子に接続され、他方が前記第１の電源供給線に接続された駆動トランジスタと、
一端が前記駆動トランジスタのゲートに接続されたキャパシタと、
ソース・ドレインの一方が前記キャパシタの他端に接続され、他方が前記信号線に接続され、ゲートが前記走査線に接続されたスイッチトランジスタと、
前記発光素子と前記駆動トランジスタとの接続点と、前記キャパシタと前記スイッチトランジスタとの接続点との間に接続され、ゲートが前記閾値電圧検出制御線に接続された閾値電圧検出トランジスタと、
前記駆動トランジスタと前記第１の電源供給線との接続点と、前記駆動トランジスタのゲートと前記キャパシタとの接続点との間に接続され、ゲートが前記リセット制御線に接続されたリセットトランジスタと、
を含むことを特徴とする表示装置。
【請求項２】
前記走査線を介して走査線駆動信号を出力して前記スイッチトランジスタのオンオフ制御を行い、前記リセット制御線を介してリセット信号を出力し前記リセットトランジスタのオンオフ制御を行い、前記閾値電圧検出制御線を介して閾値電圧検出制御信号を出力し前記閾値電圧検出トランジスタのオンオフ制御を行い、前記第１の電源供給線を介して前記駆動トランジスタと前記リセットトランジスタとの接続点に第１〜第３の電位を印加する制御線駆動回路をさらに備えることを特徴とする請求項１に記載の表示装置。
【請求項３】
前記駆動トランジスタはｎ型であり、前記発光素子はアノードが前記第２の電源供給線に接続され、カソードが前記駆動トランジスタに接続されることを特徴とする請求項２に記載の表示装置。
【請求項４】
前記制御線駆動回路は、
第１の期間に、前記リセットトランジスタ及び前記閾値電圧検出トランジスタをオン状態、前記スイッチトランジスタをオフ状態にして、前記第１の電源供給線を介して前記第２の電源供給線が前記発光素子に供給する正電源電位より高い前記第１の電位を印加し、
第２の期間に、前記閾値電圧検出トランジスタをオン状態、前記リセットトランジスタ及び前記スイッチトランジスタをオフ状態にして、前記第１の電源供給線を介して前記正電源電位と等電位である前記第２の電位を印加し、
第３の期間に、前記スイッチトランジスタをオン状態、前記リセットトランジスタ及び前記閾値電圧検出トランジスタをオフ状態にして、前記第１の電源供給線を介して前記第２の電位を印加し、
第４の期間に、前記リセットトランジスタ、前記閾値電圧検出トランジスタ、及び前記スイッチトランジスタをオフ状態にして、前記第１の電源供給線を介して前記正電源電位より低い前記第３の電位を印加することを特徴とする請求項３に記載の表示装置。
【請求項５】
前記駆動トランジスタはｐ型であり、前記発光素子はカソードが前記第２の電源供給線に接続され、アノードが前記駆動トランジスタに接続されることを特徴とする請求項２に記載の表示装置。
【請求項６】
前記制御線駆動回路は、
第１の期間に、前記リセットトランジスタ及び前記閾値電圧検出トランジスタをオン状態、前記スイッチトランジスタをオフ状態にして、前記第１の電源供給線を介して前記第２の電源供給線が前記発光素子に供給する負電源電位より低い前記第１の電位を印加し、
第２の期間に、前記閾値電圧検出トランジスタをオン状態、前記リセットトランジスタ及び前記スイッチトランジスタをオフ状態にして、前記第１の電源供給線を介して前記負電源電位と等電位である前記第２の電位を印加し、
第３の期間に、前記スイッチトランジスタをオン状態、前記リセットトランジスタ及び前記閾値電圧検出トランジスタをオフ状態にして、前記第１の電源供給線を介して前記第２の電位を印加し、
第４の期間に、前記リセットトランジスタ、前記閾値電圧検出トランジスタ、及び前記スイッチトランジスタをオフ状態にして、前記第１の電源供給線を介して前記負電源電位より高い前記第３の電位を印加することを特徴とする請求項５に記載の表示装置。
【請求項７】
前記信号線を介して前記スイッチトランジスタに映像信号に応じた電位を印加する信号線駆動回路をさらに備えることを特徴とする請求項２に記載の表示装置。
【請求項８】
ソース・ドレインの一方が第１の電源供給線に接続されたｎ型の駆動トランジスタと、
アノードが正電源電位を供給する第２の電源供給線に接続され、カソードが前記駆動トランジスタのソース・ドレインの他方に接続され、供給される電流に応じて発光する発光素子と、
一端が前記駆動トランジスタのゲートに接続されたキャパシタと、
ソース・ドレインの一方が前記キャパシタの他端に接続され、他方が映像信号に応じた電位を印加する信号線に接続されたスイッチトランジスタと、
前記発光素子と前記駆動トランジスタとの接続点と、前記キャパシタと前記スイッチトランジスタとの接続点との間に接続された閾値電圧検出トランジスタと、
前記駆動トランジスタと前記第１の電源供給線との接続点と、前記駆動トランジスタのゲートと前記キャパシタとの接続点との間に接続されたリセットトランジスタと、
を有する画素部がマトリクス状に複数設けられた表示装置の駆動方法であって、
前記リセットトランジスタ及び前記閾値電圧検出トランジスタをオン状態、前記スイッチトランジスタをオフ状態にし、前記第１の電源供給線から前記正電源電位より高い第１の電位を供給して前記駆動トランジスタをリセットし、
前記閾値電圧検出トランジスタをオン状態、前記リセットトランジスタ及び前記スイッチトランジスタをオフ状態にし、前記第１の電源供給線から前記正電源電位と等電位である第２の電位を供給して、前記キャパシタの両端の電位差を前記駆動トランジスタの閾値電圧とし、
前記スイッチトランジスタをオン状態、前記リセットトランジスタ及び前記閾値電圧検出トランジスタをオフ状態にし、前記第１の電源供給線から前記第２の電位を供給して、前記キャパシタの両端の電位を前記映像信号に応じた電位分上昇させ、
前記リセットトランジスタ、前記閾値電圧検出トランジスタ、及び前記スイッチトランジスタをオフ状態にして、前記第１の電源供給線から前記正電源電位より低い第３の電位を供給し、前記発光素子を発光させる表示装置の駆動方法。
【請求項９】
ソース・ドレインの一方が第１の電源供給線に接続されたｐ型の駆動トランジスタと、
カソードが負電源電位を供給する第２の電源供給線に接続され、アノードが前記駆動トランジスタのソース・ドレインの他方に接続され、供給される電流に応じて発光する発光素子と、
一端が前記駆動トランジスタのゲートに接続されたキャパシタと、
ソース・ドレインの一方が前記キャパシタの他端に接続され、他方が映像信号に応じた電位を印加する信号線に接続されたスイッチトランジスタと、
前記発光素子と前記駆動トランジスタとの接続点と、前記キャパシタと前記スイッチトランジスタとの接続点との間に接続された閾値電圧検出トランジスタと、
前記駆動トランジスタと前記第１の電源供給線との接続点と、前記駆動トランジスタのゲートと前記キャパシタとの接続点との間に接続されたリセットトランジスタと、
を有する画素部がマトリクス状に複数設けられた表示装置の駆動方法であって、
前記リセットトランジスタ及び前記閾値電圧検出トランジスタをオン状態、前記スイッチトランジスタをオフ状態にし、前記第１の電源供給線から前記負電源電位より低い第１の電位を供給して前記駆動トランジスタをリセットし、
前記閾値電圧検出トランジスタをオン状態、前記リセットトランジスタ及び前記スイッチトランジスタをオフ状態にし、前記第１の電源供給線から前記負電源電位と等電位である第２の電位を供給して、前記キャパシタの両端の電位差を前記駆動トランジスタの閾値電圧とし、
前記スイッチトランジスタをオン状態、前記リセットトランジスタ及び前記閾値電圧検出トランジスタをオフ状態にし、前記第１の電源供給線から前記第２の電位を供給して、前記キャパシタの両端の電位を前記映像信号に応じた電位分上昇させ、
前記リセットトランジスタ、前記閾値電圧検出トランジスタ、及び前記スイッチトランジスタをオフ状態にして、前記第１の電源供給線から前記負電源電位より高い第３の電位を供給し、前記発光素子を発光させる表示装置の駆動方法。
【発明の詳細な説明】
【技術分野】
【０００１】
本発明は、表示装置及びその駆動方法に関するものである。
【背景技術】
【０００２】
近年、平面型の表示装置として、自己発光素子であるＯＬＥＤ(Organic light emitting diode)を用いた有機エレクトロルミネセンス（ＥＬ）表示装置が注目され、盛んに研究が行われている。有機ＥＬ表示装置はＯＬＥＤが自発光素子であるため、液晶セルを含む画素回路によってバックライトからの透過光強度を制御する液晶表示装置に比べて、バックライトが不要、画像の視野角が広い、高速な応答性で動画再生に好適、などの特徴を持っている。
【０００３】
有機ＥＬ表示装置では、液晶表示装置と同様、その駆動方式として単純（パッシブ）マトリクス方式とアクティブマトリクス方式とを採用することができる。単純マトリクス方式の表示装置は、構造が簡単である反面、大型でかつ高精細な表示装置の実現が困難であるなどの問題がある。そのため近年、発光素子に流れる電流を、この発光素子と同じ画素回路内に設けた能動素子、例えば薄膜トランジスタ（ＴＦＴ）、によって制御するアクティブマトリクス方式の表示装置の開発が盛んに行われている。
【０００４】
アクティブマトリクス方式の表示装置は、各画素が表示素子としてのＯＬＥＤ、及び表示素子へ駆動電流を供給する画素回路により構成される。有機ＥＬ表示装置は、表示素子の発光輝度を制御することにより表示動作を行う。画素回路は、例えば、表示素子に直列に接続された駆動トランジスタと、データ線と駆動トランジスタのゲートとの間に接続されたスイッチトランジスタと、駆動トランジスタのゲート・ソース間に接続され映像信号に応じた電圧を保持するキャパシタ等を備えている。
【０００５】
ところで、液晶セルと異なり、ＯＬＥＤは電流駆動型自発光素子であるため、表示動作中は、表示素子と直列に接続した駆動トランジスタは絶えずＯＮ状態となって電流を流し続ける必要がある。そのため、時間が経過すると、駆動トランジスタには移動度の低下や閾値電圧の増加といった特性劣化が観察されるようになる。
【０００６】
このようなトランジスタの特性劣化は動作時の電流量に変化を及ぼし、有機ＥＬ表示装置の各画素に輝度ムラや焼き付きとなって認識される。とりわけアモルファスシリコンなど結晶性の低いシリコンから形成されたトランジスタは、閾値電圧シフトの程度が非常に大きく、実用化の大きな妨げとなっている。
【０００７】
近年、アモルファスシリコンから形成されたトランジスタの閾値電圧シフトを、画素ごとに検出する閾値電圧検出回路を画素内に形成する方法が提案されている（例えば非特許文献１参照）。この技術は、各画素に駆動トランジスタのゲート・ドレイン間を短絡可能な閾値電圧検出トランジスタを有することによって、発光時間と別に設けた閾値電圧検出期間でゲート電位を放電させ、駆動トランジスタの閾値電圧が保持容量の他端の電位として記憶されるようにしているものである。
【０００８】
上述の閾値電圧検出回路では、閾値電圧を検出するための準備動作として、駆動トランジスタのゲート電位を十分高い電位にする動作（リセット動作）が必要である。通常、リセット動作では、閾値電圧検出トランジスタをＯＮにし、電源電位Ｖｓｓの電位を上昇させることによって、駆動トランジスタに発光時とは逆向きに電流が流れ、閾値電圧検出トランジスタを介して駆動トランジスタのゲートの充電が行われる。
【０００９】
しかし、このような画素構造では、駆動トランジスタのゲート電位の充電に駆動トランジスタ自身の電流の流れやすさが影響を及ぼすため、駆動トランジスタの閾値電圧シフトが発生して駆動トランジスタの電流供給能力が低下すると、ゲートがリセットされる電位も低くなり、駆動トランジスタの閾値電圧シフトの補償精度が低下するという問題があった。
【非特許文献１】G. R. Chaji et al, IEEE, Trans. Electron Device, 2007, vol54, p1095
【発明の開示】
【発明が解決しようとする課題】
【００１０】
本発明は電流駆動型自発光素子に供給する電流を制御する駆動トランジスタの閾値電圧シフトの補償精度を向上し、良好な表示性能を長期間に渡って維持できる表示装置及びその駆動方法を提供することを目的とする。
【課題を解決するための手段】
【００１１】
本発明の一態様による表示装置は、複数の信号線と、それぞれ走査線、リセット制御線、閾値電圧検出制御線、及び第１の電源供給線を有する複数の制御線と、それぞれ前記複数の信号線のいずれか１つ及び前記複数の制御線のいずれか１つが接続された画素回路、及び第２の電源供給線が接続され、供給される電流に応じて発光する発光素子を有し、マトリクス状に複数設けられた画素部と、を備え、前記画素回路は、ソース・ドレインの一方が前記発光素子に接続され、他方が前記第１の電源供給線に接続された駆動トランジスタと、一端が前記駆動トランジスタのゲートに接続されたキャパシタと、ソース・ドレインの一方が前記キャパシタの他端に接続され、他方が前記信号線に接続され、ゲートが前記走査線に接続されたスイッチトランジスタと、前記発光素子と前記駆動トランジスタとの接続点と、前記キャパシタと前記スイッチトランジスタとの接続点との間に接続され、ゲートが前記閾値電圧検出制御線に接続された閾値電圧検出トランジスタと、前記駆動トランジスタと前記第１の電源供給線との接続点と、前記駆動トランジスタのゲートと前記キャパシタとの接続点との間に接続され、ゲートが前記リセット制御線に接続されたリセットトランジスタと、を含むことを特徴とするものである。
【００１２】
本発明の一態様による表示装置の駆動方法は、ソース・ドレインの一方が第１の電源供給線に接続されたｎ型の駆動トランジスタと、アノードが正電源電位を供給する第２の電源供給線に接続され、カソードが前記駆動トランジスタのソース・ドレインの他方に接続され、供給される電流に応じて発光する発光素子と、一端が前記駆動トランジスタのゲートに接続されたキャパシタと、ソース・ドレインの一方が前記キャパシタの他端に接続され、他方が映像信号に応じた電位を印加する信号線に接続されたスイッチトランジスタと、前記発光素子と前記駆動トランジスタとの接続点と、前記キャパシタと前記スイッチトランジスタとの接続点との間に接続された閾値電圧検出トランジスタと、前記駆動トランジスタと前記第１の電源供給線との接続点と、前記駆動トランジスタのゲートと前記キャパシタとの接続点との間に接続されたリセットトランジスタと、を有する画素部がマトリクス状に複数設けられた表示装置の駆動方法であって、前記リセットトランジスタ及び前記閾値電圧検出トランジスタをオン状態、前記スイッチトランジスタをオフ状態にし、前記第１の電源供給線から前記正電源電位より高い第１の電位を供給して前記駆動トランジスタをリセットし、前記閾値電圧検出トランジスタをオン状態、前記リセットトランジスタ及び前記スイッチトランジスタをオフ状態にし、前記第１の電源供給線から前記正電源電位と等電位である第２の電位を供給して、前記キャパシタの両端の電位差を前記駆動トランジスタの閾値電圧とし、前記スイッチトランジスタをオン状態、前記リセットトランジスタ及び前記閾値電圧検出トランジスタをオフ状態にし、前記第１の電源供給線から前記第２の電位を供給して、前記キャパシタの両端の電位を前記映像信号に応じた電位分上昇させ、前記リセットトランジスタ、前記閾値電圧検出トランジスタ、及び前記スイッチトランジスタをオフ状態にして、前記第１の電源供給線から前記正電源電位より低い第３の電位を供給し、前記発光素子を発光させるものである。
【００１３】
本発明の一態様による表示装置の駆動方法は、ソース・ドレインの一方が第１の電源供給線に接続されたｐ型の駆動トランジスタと、カソードが負電源電位を供給する第２の電源供給線に接続され、アノードが前記駆動トランジスタのソース・ドレインの他方に接続され、供給される電流に応じて発光する発光素子と、一端が前記駆動トランジスタのゲートに接続されたキャパシタと、ソース・ドレインの一方が前記キャパシタの他端に接続され、他方が映像信号に応じた電位を印加する信号線に接続されたスイッチトランジスタと、前記発光素子と前記駆動トランジスタとの接続点と、前記キャパシタと前記スイッチトランジスタとの接続点との間に接続された閾値電圧検出トランジスタと、前記駆動トランジスタと前記第１の電源供給線との接続点と、前記駆動トランジスタのゲートと前記キャパシタとの接続点との間に接続されたリセットトランジスタと、を有する画素部がマトリクス状に複数設けられた表示装置の駆動方法であって、前記リセットトランジスタ及び前記閾値電圧検出トランジスタをオン状態、前記スイッチトランジスタをオフ状態にし、前記第１の電源供給線から前記負電源電位より低い第１の電位を供給して前記駆動トランジスタをリセットし、前記閾値電圧検出トランジスタをオン状態、前記リセットトランジスタ及び前記スイッチトランジスタをオフ状態にし、前記第１の電源供給線から前記負電源電位と等電位である第２の電位を供給して、前記キャパシタの両端の電位差を前記駆動トランジスタの閾値電圧とし、前記スイッチトランジスタをオン状態、前記リセットトランジスタ及び前記閾値電圧検出トランジスタをオフ状態にし、前記第１の電源供給線から前記第２の電位を供給して、前記キャパシタの両端の電位を前記映像信号に応じた電位分上昇させ、前記リセットトランジスタ、前記閾値電圧検出トランジスタ、及び前記スイッチトランジスタをオフ状態にして、前記第１の電源供給線から前記負電源電位より高い第３の電位を供給し、前記発光素子を発光させるものである。
【発明の効果】
【００１４】
本発明によれば、電流駆動型自発光素子に供給する電流を制御する駆動トランジスタの閾値電圧シフトの補償精度を向上し、良好な表示性能を長期間に渡って維持できる。
【発明を実施するための最良の形態】
【００１５】
以下、本発明の実施の形態を図面に基づいて説明する。
【００１６】
（第１の実施形態）図１に本発明の第１の実施形態に係る表示装置の平面図を示す。表示装置はマトリクス状に複数設けられた画素部１、信号線駆動回路２、制御線駆動回路３、コントローラ４、複数の信号線ＤＬ、及び複数の制御線ＣＬを備える。
【００１７】
信号線ＤＬは図中列方向に沿って設けられ、各列のそれぞれの画素部１に接続されている。制御線ＣＬは図中行方向に沿って設けられ、各行のそれぞれの画素部１に接続されている。各制御線ＣＬは走査線、リセット制御線、閾値電圧検出制御線、及び負電源線を有するものであり、各線については後述する。
【００１８】
信号線駆動回路２は、信号線ＤＬを介して画素部１に映像信号に対応する信号電圧を供給する。制御線駆動回路３は、制御線ＣＬ（走査線、リセット制御線、閾値電圧検出制御線、及び負電源線）を介して画素部１に、走査線駆動信号、リセット制御信号、閾値電圧検出信号、及び負電源電圧を供給する。
【００１９】
画素部１は、供給される電流に応じて発光する発光素子（例えば有機ＥＬ素子）１１と、発光素子１１の発光を制御する画素回路１２を有する。発光素子１１には正電源電圧Ｖｄｄが供給される。信号線ＣＬ及び制御線ＣＬは画素回路１２に接続されている。
【００２０】
コントローラ４は、信号線駆動回路２と制御線駆動回路３の動作のタイミング制御を行う。
【００２１】
図２に画素部１の概略構成を示す。画素部１の画素回路１２は、スイッチトランジスタＳｗ、閾値電圧検出トランジスタＤｅｔ、駆動トランジスタＤｒ、リセットトランジスタＲｓｔ、及びキャパシタＣｋを有する。ここで、スイッチトランジスタＳｗ、閾値電圧検出トランジスタＤｅｔ、駆動トランジスタＤｒ、及びリセットトランジスタＲｓｔはｎ型の薄膜トランジスタ（ＴＦＴ）であるとする。
【００２２】
発光素子１１のアノードに正電源電圧Ｖｄｄが与えられる。発光素子１１のカソードは駆動トランジスタＤｒのドレインに接続される。駆動トランジスタＤｒのソースは負電源線ＮＬに接続されている。駆動トランジスタＤｒのゲートにはキャパシタＣｋの一端が接続されている。
【００２３】
キャパシタＣｋの他端と信号線ＤＬとの間にスイッチトランジスタＳｗが接続されている。スイッチトランジスタＳｗのゲートには走査線ＳＬが接続されている。従って、スイッチトランジスタＳｗは制御線駆動回路３から出力される走査線駆動信号に基づいてオンオフ制御される。
【００２４】
キャパシタＣｋとスイッチトランジスタＳｗとの接続点と、駆動トランジスタＤｒと発光素子１１との接続点との間には閾値電圧検出トランジスタＤｅｔが接続されている。閾値電圧検出トランジスタＤｅｔのゲートには閾値電圧検出制御線ＴＬが接続されている。従って、閾値電圧検出トランジスタＤｅｔは制御線駆動回路３から出力される閾値電圧検出制御信号に基づいてオンオフ制御される。
【００２５】
キャパシタＣｋと駆動トランジスタＤｒのゲートとの接続点と、駆動トランジスタＤｒのソースとの間にリセットトランジスタＲｓｔが接続されている。リセットトランジスタＲｓｔのゲートにはリセット制御線ＲＬが接続されている。従って、リセットトランジスタＲｓｔは制御線駆動回路３から出力されるリセット制御信号に基づいてオンオフ制御される。
【００２６】
制御線駆動回路３による画素回路３の駆動方法を図３に示すタイミングチャートを用いて説明する。画素回路３の動作はリセット期間Ｔ１、閾値電圧検出期間Ｔ２、信号書き込み期間Ｔ３、及び発光期間Ｔ４に分けられる。図３は、各期間における走査線駆動信号、リセット制御信号、閾値電圧検出信号、及び負電源線ＮＬの電圧のタイミングチャートである。
【００２７】
リセット期間Ｔ１では、リセット制御信号及び閾値電圧検出信号の値が上昇し、リセットトランジスタＲｓｔ及び閾値電圧検出トランジスタＤｅｔがオン状態となる。また、負電源線ＮＬの電位が正電源電位Ｖｄｄより高いＶｓｓＨ（＞Ｖｄｄ）まで上昇する。
【００２８】
これにより、駆動トランジスタＤｒのゲートは、図４に示すようなリセットトランジスタＲｓｔを介した経路により、負電源線電位ＶｓｓＨまで充電される。駆動トランジスタＤｒのゲートの充電経路上に駆動トランジスタＤｒが無いため、駆動トランジスタＤｒのゲート電位の充電に駆動トランジスタＤｒ自身の電流の流れやすさは影響を及ぼさない。
【００２９】
また、この時、キャパシタＣｋの他端（スイッチトランジスタＳｗ側）の電位はＶｓｓＨ−Ｖｔｈ（Ｖｔｈは駆動トランジスタＤｒの閾値電圧）となる。
【００３０】
閾値電圧検出期間Ｔ２では、リセット制御信号の値が低下し、リセットトランジスタＲｓｔがオフとなる。閾値電圧検出信号の値は変わらず、閾値電圧検出トランジスタＤｅｔはオン状態のままである。負電源線ＮＬの電位は正電源電圧Ｖｄｄまで低下する。
【００３１】
これにより、オン状態の閾値電圧検出トランジスタＤｅｔを介して、駆動トランジスタＤｒのゲート電位がＶｄｄ＋Ｖｔｈとなるまで、キャパシタＣｋの他端の電荷の放電が進む。
【００３２】
閾値電圧検出信号の値を低下させ、閾値電圧検出トランジスタＤｅｔをオフにすることで、閾値電圧検出期間Ｔ２は終了する。閾値電圧検出期間Ｔ２の終了時、キャパシタＣｋの他端の電位はＶｄｄとなり、キャパシタＣｋの両端に駆動トランジスタＤｒの閾値電圧Ｖｔｈが記録される。
【００３３】
信号書き込み期間Ｔ３では、所定のタイミングで走査線駆動信号の値が上昇し、スイッチトランジスタＳｗがオンする。スイッチトランジスタＳｗがオンすることで、キャパシタＣｋの他端にスイッチトランジスタＳｗを介して信号線ＤＬの電圧（映像信号に対応する信号電圧）Ｖｄａｔａが書き込まれる。
【００３４】
この時、リセットトランジスタＲｓｔ及び閾値電圧検出トランジスタＤｅｔはオフしており、キャパシタＣｋ両端の電位差が保持されるため、駆動トランジスタＤｒのゲート電位はＶｄｄ＋Ｖｔｈ＋Ｖｄａｔａとなる。
【００３５】
発光期間Ｔ４では、負電源線ＮＬの電位は負電源電圧Ｖｓｓに低下し、発光素子１１の順方向に電位差が生じるようになり、発光素子１１の発光が開始する。ここで、発光素子１１に流れる電流は駆動トランジスタＤｒを流れる電流とみなすことができる。
【００３６】
一般に、トランジスタを流れる電流Ｉは、トランジスタのゲート−ソース間電圧をＶｇｓ、閾値電圧をＶｔ、ゲート長をＬ、ゲート幅をＷ、ゲート容量をＣｏｘ、電子の移動度をμｎとすると、
（式１）Ｉ＝μｎＣｏｘＷ（Ｖｇｓ−Ｖｔ）２／２Ｌ
と表すことができる。
【００３７】
本実施形態では、信号書き込み期間Ｔ３の終了時に、駆動トランジスタＤｒのゲート電位はＶｄｄ＋Ｖｔｈ＋Ｖｄａｔａとなっており、上述の式１から、駆動トランジスタＤｒの閾値電圧Ｖｔｈの項は相殺され、発光素子１１に流れる電流は駆動トランジスタＤｒの閾値電圧Ｖｔｈの影響を受けないことがわかる。
【００３８】
このように、本実施形態に係る表示装置では、駆動トランジスタのゲートと負電源線とをリセットトランジスタを介して直接接続することにより、駆動トランジスタの閾値電圧シフト発生量に関係無く、駆動トランジスタのゲート電位を一定に充電できる。また、キャパシタを介して駆動トランジスタのドレインとゲートを接続して駆動トランジスタの閾値電圧が検出される。そのため、閾値電圧シフトの補償精度が向上し、良好な表示性能を長期間に渡って維持することができる。
【００３９】
また、キャパシタを介して駆動トランジスタの閾値電圧の検出を行うので、検出動作後のキャパシタの他端電位を一定値にすることができ、閾値電圧検出動作中にキャパシタの他端を一定電圧に維持するようなリファレンス制御線やリファレンストランジスタなどの回路素子を削減でき、大型化・高精細化に好適である。
【００４０】
本実施形態では、スイッチトランジスタＳｗ、閾値電圧検出トランジスタＤｅｔ、リセットトランジスタＲｓｔをｎ型トランジスタとしたが、ｐ型トランジスタを用いてもよい。その場合、制御線駆動回路３は、図３に示す走査線制御信号、閾値電圧検出制御信号、リセット制御信号の極性を反転した信号を出力することになる。
【００４１】
（第２の実施形態）本発明の第２の実施形態に係る表示装置について説明する。本実施形態に係る表示装置の平面図は図１に示す上記第１の実施形態に係る表示装置と同様の構成となっているので説明を省略する。
【００４２】
但し、上記第１の実施形態では制御線ＣＬは負電源線を有し、制御線駆動回路３が画素部１に負電源線を介して負電源電圧を供給していたが、本実施形態では制御線ＣＬは負電源線でなく正電源線を有し、制御線駆動回路３は画素部１に正電源線を介して正電源電圧を供給する。また、発光素子１１のカソードが、負電源電圧Ｖｓｓを供給する負電源線に接続されている。
【００４３】
図５に画素部１の概略構成を示す。画素部１の画素回路１２は、スイッチトランジスタＳｗ、閾値電圧検出トランジスタＤｅｔ、駆動トランジスタＤｒ、リセットトランジスタＲｓｔ、及びキャパシタＣｋを有する。駆動トランジスタＤｒはｐ型の薄膜トランジスタ（ＴＦＴ）である。ここで、スイッチトランジスタＳｗ、閾値電圧検出トランジスタＤｅｔ、及びリセットトランジスタＲｓｔはｎ型ＴＦＴとする。
【００４４】
発光素子１１のカソードに負電源電圧Ｖｓｓが与えられる。発光素子１１のアノードは駆動トランジスタＤｒのドレインに接続される。駆動トランジスタＤｒのソースは正電源線ＰＬに接続されている。駆動トランジスタＤｒのゲートにはキャパシタＣｋの一端が接続されている。
【００４５】
キャパシタＣｋの他端と信号線ＤＬとの間にスイッチトランジスタＳｗが接続されている。スイッチトランジスタＳｗのゲートには走査線ＳＬが接続されている。従って、スイッチトランジスタＳｗは制御線駆動回路３から出力される走査線駆動信号に基づいてオンオフ制御される。
【００４６】
キャパシタＣｋとスイッチトランジスタＳｗとの接続点と、駆動トランジスタＤｒと発光素子１１との接続点との間には閾値電圧検出トランジスタＤｅｔが接続されている。閾値電圧検出トランジスタＤｅｔのゲートには閾値電圧検出制御線ＴＬが接続されている。従って、閾値電圧検出トランジスタＤｅｔは制御線駆動回路３から出力される閾値電圧検出制御信号に基づいてオンオフ制御される。
【００４７】
キャパシタＣｋと駆動トランジスタＤｒのゲートとの接続点と、駆動トランジスタＤｒのソースとの間にリセットトランジスタＲｓｔが接続されている。リセットトランジスタＲｓｔのゲートにはリセット制御線ＲＬが接続されている。従って、リセットトランジスタＲｓｔは制御線駆動回路３から出力されるリセット制御信号に基づいてオンオフ制御される。
【００４８】
制御線駆動回路３による画素回路３の駆動方法を図６に示すタイミングチャートを用いて説明する。画素回路３の動作はリセット期間Ｔ１、閾値電圧検出期間Ｔ２、信号書き込み期間Ｔ３、及び発光期間Ｔ４に分けられる。図３は、各期間における走査線駆動信号、リセット制御信号、閾値電圧検出信号、及び正電源電圧のタイミングチャートである。
【００４９】
リセット期間Ｔ１では、リセット制御信号及び閾値電圧検出信号の値が上昇し、リセットトランジスタＲｓｔ及び閾値電圧検出トランジスタＤｅｔがオン状態となる。また、正電源線ＰＬの電位が負電源電圧Ｖｓｓより低いＶｄｄＬ（＜Ｖｓｓ）まで低下する。
【００５０】
これにより、駆動トランジスタＤｒのゲートは、図７に示すようなリセットトランジスタＲｓｔを介した経路により、正電源線電位ＶｄｄＬまで放電される。駆動トランジスタＤｒのゲートの放電経路上に駆動トランジスタＤｒが無いため、駆動トランジスタＤｒのゲート電位の放電に駆動トランジスタＤｒ自身の電流の流れやすさは影響を及ぼさない。
【００５１】
また、この時、キャパシタＣｋの他端（スイッチトランジスタＳｗ側）の電位はＶｄｄＬ＋Ｖｔｈ（Ｖｔｈは駆動トランジスタＤｒの閾値電圧であり、Ｖｔｈ＜０）となる。
【００５２】
閾値電圧検出期間Ｔ２では、リセット制御信号の値が低下し、リセットトランジスタＲｓｔがオフとなる。閾値電圧検出信号の値は変わらず、閾値電圧検出トランジスタＤｅｔはオン状態のままである。正電源線ＰＬの電位は負電源電圧Ｖｓｓまで上昇する。
【００５３】
これにより、オン状態の閾値電圧検出トランジスタＤｅｔを介して、駆動トランジスタＤｒのゲート電位がＶｓｓ＋Ｖｔｈとなるまで、キャパシタＣｋの他端の電荷の充電が進む。
【００５４】
閾値電圧検出信号の値を低下させ、閾値電圧検出トランジスタＤｅｔをオフにすることで、閾値電圧検出期間Ｔ２は終了する。閾値電圧検出期間Ｔ２の終了時、キャパシタＣｋの他端の電位はＶｓｓとなり、キャパシタＣｋの両端に駆動トランジスタＤｒの閾値電圧Ｖｔｈが記録される。
【００５５】
信号書き込み期間Ｔ３では、所定のタイミングで走査線駆動信号の値が上昇し、スイッチトランジスタＳｗがオンする。スイッチトランジスタＳｗがオンすることで、キャパシタＣｋの他端にスイッチトランジスタＳｗを介して信号線ＤＬの電圧（映像信号に対応する信号電圧）Ｖｄａｔａが書き込まれる。
【００５６】
この時、リセットトランジスタＲｓｔ及び閾値電圧検出トランジスタＤｅｔはオフしており、キャパシタＣｋ両端の電位差が保持されるため、駆動トランジスタＤｒのゲート電位はＶｓｓ＋Ｖｔｈ＋Ｖｄａｔａとなる。
【００５７】
発光期間Ｔ４では、正電源線ＰＬの電位は正電源電圧Ｖｄｄに上昇し、発光素子１１の順方向に電位差が生じるようになり、発光素子１１の発光が開始する。ここで、発光素子１１に流れる電流は駆動トランジスタＤｒを流れる電流とみなすことができる。
【００５８】
本実施形態では、信号書き込み期間Ｔ３の終了時に、駆動トランジスタＤｒのゲート電位はＶｓｓ＋Ｖｔｈ＋Ｖｄａｔａとなっており、上記第１の実施形態で説明した式１から、駆動トランジスタＤｒの閾値電圧Ｖｔｈの項は相殺され、発光素子１１に流れる電流は駆動トランジスタＤｒの閾値電圧Ｖｔｈの影響を受けないことがわかる。
【００５９】
このように、本実施形態に係る表示装置では、駆動トランジスタのゲートと正電源線とをリセットトランジスタを介して直接接続することにより、駆動トランジスタの閾値電圧シフト発生量に関係無く、駆動トランジスタのゲート電位を一定に充電できる。また、キャパシタを介して駆動トランジスタのドレインとゲートを接続して駆動トランジスタの閾値電圧が検出される。そのため、閾値電圧シフトの補償精度が向上し、良好な表示性能を長期間に渡って維持することができる。
【００６０】
また、キャパシタを介して駆動トランジスタの閾値電圧の検出を行うので、検出動作後のキャパシタの他端電位を一定値にすることができ、閾値電圧検出動作中にキャパシタの他端を一定電圧に維持するようなリファレンス制御線やリファレンストランジスタなどの回路素子を削減でき、大型化・高精細化に好適である。
【００６１】
本実施形態では、スイッチトランジスタＳｗ、閾値電圧検出トランジスタＤｅｔ、リセットトランジスタＲｓｔをｎ型トランジスタとしたが、ｐ型トランジスタを用いてもよい。その場合、制御線駆動回路３は、図６に示す走査線制御信号、閾値電圧検出制御信号、リセット制御信号の極性を反転した信号を出力することになる。
【００６２】
上記実施形態における画素回路に含まれるトランジスタには、アモルファスシリコン、低温ポリシリコン、微結晶シリコン、有機半導体、酸化物半導体などを用いることができる。
【００６３】
上記実施形態における発光素子には有機ＥＬ素子だけでなく、電荷注入型の無機ＥＬ素子や電気化学発光素子など、電流値に応じて発光輝度が変化する電流駆動型の発光素子を用いることができる。
【００６４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６５】
【図１】本発明の第１の実施形態に係る表示装置の平面図である。
【図２】同第１の実施形態に係る表示装置における画素部の概略構成図である。
【図３】同第１の実施形態に係る表示装置における画素回路の駆動方法を説明するタイミングチャートである。
【図４】リセット期間での駆動トランジスタのゲートの充電経路を示す回路図である。
【図５】本発明の第２の実施形態に係る表示装置における画素部の概略構成図である。
【図６】同第２の実施形態に係る表示装置における画素回路の駆動方法を説明するタイミングチャートである。
【図７】リセット期間での駆動トランジスタのゲートの放電経路を示す回路図である。
【符号の説明】
【００６６】
１  画素部
２  信号線駆動回路
３  制御線駆動回路
４  コントローラ
１１  発光素子
１２  画素回路
Ｓｗ  スイッチトランジスタ
Ｄｅｔ  閾値電圧検出トランジスタ
Ｄｒ  駆動トランジスタ
Ｒｓｔ  リセットトランジスタ
Ｃｋ  キャパシタ
ＳＬ  走査線
ＲＬ  リセット制御線
ＴＬ  閾値電圧検出制御線
ＮＬ  負電源線
ＰＬ  正電源線
【図１】
2010078922.tif 000003
【図２】
2010078922.tif 000004
【図３】
2010078922.tif 000005
【図４】
2010078922.tif 000006
【図５】
2010078922.tif 000007
【図６】
2010078922.tif 000008
【図７】
2010078922.tif 000009